(57)【要約】【課題】異なる意匠における切替表示や、非表示時の隠蔽性の確保が可能であり、青色光（第１特定色の光）から白色光（蛍光の加わった光）を得る効率に優れた光学表示装置を提供する。【解決手段】本発明の光学表示装置は、青色光ＢＬを透過せず赤色光ＲＬを透過する第１パターン層Ｐ１と、赤色光ＲＬを透過せず青色光ＢＬを透過する第２パターン層Ｐ２と、青色光ＢＬ又は赤色光ＲＬで切り替えて発光可能な発光手段１４と、第２パターン層Ｐ２により遮られなかった青色光ＢＬにより蛍光としての黄色光ＹＬを発する蛍光層Ｌと、蛍光層Ｌより発光手段１４に近い側において、青色光ＢＬ及び赤色光ＲＬを透過して、黄色光ＹＬを反射する蛍光反射層Ｍと、を備えている。【選択図】図２
2015011202.tif 000002
【特許請求の範囲】
【請求項１】
第１特定色の光を透過せず他の特定色の光を透過する第１パターン層と、
第２特定色の光を透過せず他の特定色の光を透過する第２パターン層と、
前記第１特定色又は前記第２特定色で切り替えて発光可能な発光手段と、
前記第２パターン層により遮られなかった前記第１特定色の光により蛍光を発する蛍光層と、
前記蛍光層より前記発光手段に近い側において、前記第１特定色及び前記第２特定色の光を透過して、前記蛍光を反射する蛍光反射層と
を備えたことを特徴とする光学表示装置。
【請求項２】
更に、第ｎ特定色（ｎ＝３又は３，４又は３，４，５又は・・）の光を透過せず他の特定色の光を透過する第ｎパターン層を備えており、
前記発光手段は、前記第１特定色若しくは前記第２特定色又は前記第ｎ特定色の何れかに切り替えて発光可能であり、
前記蛍光反射層は、前記第１特定色及び前記第２特定色並びに前記第ｎ特定色の光を透過して、前記蛍光を反射する
ことを特徴とする請求項１に記載の光学表示装置。
【請求項３】
前記蛍光反射層は、白色材料を含む
ことを特徴とする請求項１又は請求項２に記載の光学表示装置。
【請求項４】
前記第１特定色及び前記第２特定色又はこれらと前記第ｎ特定色の光を透過して、他の色の光の透過を抑制する透過調整層を備えている
ことを特徴とする請求項１ないし請求項３の何れかに記載の光学表示装置。
【請求項５】
前記透過調整層は、前記蛍光層より前記発光手段に近い側に配置される
ことを特徴とする請求項１ないし請求項４の何れかに記載の光学表示装置。
【請求項６】
前記透過調整層は、前記第１パターン層により遮られなかった前記第２特定色の光により、第２の蛍光を発する
ことを特徴とする請求項１ないし請求項５の何れかに記載の光学表示装置。
【請求項７】
前記第１特定色は青色であり、
前記第２特定色は赤色であり、
前記透過調整層は、赤色の光について、青色の光に対して透過をより抑制するように調整する
ことを特徴とする請求項４ないし請求項６の何れかに記載の光学表示装置。
【発明の詳細な説明】
【技術分野】
【０００１】
本発明は、複数の意匠を切り替えて表示可能である光学表示装置に関する。
【背景技術】
【０００２】
同一表示面において異なる意匠で表示を切替可能である可変表示構造として、下記特許文献１に記載のものが知られている。
この可変表示構造では、赤色を透過させず青色を透過させる第１印刷部分と、青色を透過させず赤色を透過させる第２印刷部分と、青色光を白色光へ変換する白色変換部を備えており、赤色の表示に加え白色の表示が可能となっている。
又、消灯時に外光によって印刷パターンが見えてしまうのを防ぐ（非表示時の隠蔽性を確保する）ために、全体的に透光性の低くされたスモークレンズが、最前面に設けられている。
【０００３】
白色変換部は、蛍光体を含む蛍光シートと、その前面に設けられる黄色印刷部分からなる。
蛍光シートを通過する青色光の一部は、そのまま青色光として透過し、残部は、蛍光体に衝突し蛍光体を励起して黄色光を出力させる。コスト低減のため蛍光シートを薄くすると、蛍光体の量が充分とならず、蛍光シートを出た段階では、前者の青色光に比べて、後者の黄色光の相対的な強度が低くなる。青色光と黄色光が加色されると白色となるが、蛍光シートを出た段階では青色光が相対的に強いため、青みを帯びた白色に見える（図１３）。
かような青色光や黄色光は、黄色印刷部分を透過すると、青色光のみ強度が抑制され、青色光の強度が黄色光の強度に近づき、全体の輝度が低くなるものの、より青みの少ない白色による表示をなすことが可能となる（［００２９］，図１４）。
【先行技術文献】
【特許文献】
【０００４】
【特許文献１】特開２００８−１７０７６６号公報
【発明の概要】
【発明が解決しようとする課題】
【０００５】
このような可変表示構造では、黄色印刷部分により青色光の強度が黄色光の強度に近づけられ、より純粋な白色で発光する表示を行うことができる。
しかし、黄色印刷部分により青色光自体の透過が抑制されて青色光の強度が低減されるため、白色表示の輝度が低くなってしまう。
光源からの青色光は、可変表示のために第１印刷部分を所定の透過率で通過するし、非表示時の隠蔽のためにスモークレンズを通過するから、充分な輝度の確保が難しく、比較的に大きい輝度を得たい場合には、光源の強度を強力にするか、あるいは蛍光体の量を増やす（蛍光シートをより厚くする）ことが必要となり、何れにしても青色光の利用効率に向上の余地があるものとなっている。
又、表示時におけるある程度の輝度を確保すると、非表示時にはスモークレンズを設けていても印刷パターンが見えてしまう場合がある。
更に、黄色光は蛍光であるので四方八方に広がるところ、前方以外に向いた黄色光は表示に寄与せず、この点も白色表示の輝度が低くなる原因となっている。
そこで、請求項１に記載の発明は、異なる意匠における切替表示が可能であり、青色光（第１特定色の光）から白色光（蛍光の加わった光）を得る効率に優れた光学表示装置を提供することを目的としたものである。
【課題を解決するための手段】
【０００６】
上記目的を達成するために、請求項１に記載の発明は、第１特定色の光を透過せず他の特定色の光を透過する第１パターン層と、第２特定色の光を透過せず他の特定色の光を透過する第２パターン層と、前記第１特定色又は前記第２特定色で切り替えて発光可能な発光手段と、前記第２パターン層により遮られなかった前記第１特定色の光により蛍光を発する蛍光層と、前記蛍光層より前記発光手段に近い側において、前記第１特定色及び前記第２特定色の光を透過して、前記蛍光を反射する蛍光反射層とを備えたことを特徴とするものである。
請求項２に記載の発明は、上記発明において、更に、第ｎ特定色（ｎ＝３又は３，４又は３，４，５又は・・）の光を透過せず他の特定色の光を透過する第ｎパターン層を備えており、前記発光手段は、前記第１特定色若しくは前記第２特定色又は前記第ｎ特定色の何れかに切り替えて発光可能であり、前記蛍光反射層は、前記第１特定色及び前記第２特定色並びに前記第ｎ特定色の光を透過して、前記蛍光を反射することを特徴とするものである。
請求項３に記載の発明は、上記発明において、前記蛍光反射層は、白色材料を含むことを特徴とするものである。
請求項４に記載の発明は、上記発明において、前記第１特定色及び前記第２特定色又はこれらと前記第ｎ特定色の光を透過して、他の色の光の透過を抑制する透過調整層を備えていることを特徴とするものである。
請求項５に記載の発明は、上記発明において、前記透過調整層は、前記蛍光層より前記発光手段に近い側に配置されることを特徴とするものである。
請求項６に記載の発明は、上記発明において、前記透過調整層は、前記第１パターン層により遮られなかった前記第２特定色の光により、第２の蛍光を発することを特徴とするものである。
請求項７に記載の発明は、上記発明において、前記第１特定色は青色であり、前記第２特定色は赤色であり、前記透過調整層は、赤色の光について、青色の光に対して透過をより抑制するように調整することを特徴とするものである。
【発明の効果】
【０００７】
請求項１に記載の発明によれば、蛍光発光表示を含む各特定色毎の発光表示を効率良く行うことができる、という効果を奏する。
請求項２に記載の発明によれば、３種類以上の意匠の表示が可能でありながら、蛍光発光表示を含む何れの発光表示も効率良く行うことができる、という効果を奏する。
請求項３に記載の発明によれば、上記効果に加え、意匠の表示を更に均一にしてより美しくすることができる、という効果を奏する。
請求項４に記載の発明によれば、上記効果に加え、非表示時におけるパターンの隠蔽性を確保したり、各特定色毎の発光表示の状態を互いに調整可能としたりしながら、蛍光発光表示（白色）が第１特定色（青色）に寄り過ぎる事態を防止することができる、という効果を奏する。
請求項５，７に記載の発明によれば、上記効果に加え、更に効率良く蛍光発光表示を行うことができる、という効果を奏する。
請求項６に記載の発明によれば、上記効果に加え、蛍光発光表示の効率を他の発光表示の効率より優位にしたり、各種発光表示間の輝度を互いに調整したりする等、各種発光表示についての調整が可能となる、という効果を奏する。
【図面の簡単な説明】
【０００８】
【図１】本発明に係る光学表示装置の前面図である。
【図２】図１の光学表示装置の一部水平断面概念図である。
【図３】検討例１〜１２の何れかで用いられる、４種の透過調整層の分光透過率分布を示すグラフである。
【図４】検討例５〜８の蛍光反射層及び検討例９〜１２のホワイト層（蛍光反射層）の分光透過率（反射率）分布を示すグラフである。
【図５】青色光（ＬＥＤ）の場合、蛍光層（ＯＲ５７６）単独の場合、及び検討例５〜８（蛍光層＋各種透過調整層）の場合における、青色光やその透過光の分光強度分布を示すグラフである。
【図６】（ａ）は、青色光（ＬＥＤ）の場合、蛍光層（ＯＲ５７６）単独の場合、及び検討例５〜８（蛍光層＋各種透過調整層）の場合における、青色光やその透過光の色について、ｘｙ色度座標にプロットしたグラフであり、（ｂ）は、（ａ）の拡大図である。
【図７】青色光（ＬＥＤ）の場合、蛍光層（ＯＲ５７６）単独の場合、蛍光層と蛍光反射層のみの場合、及び検討例９〜１２（蛍光層＋各種透過調整層＋蛍光反射層）の場合における、青色光やその透過光の分光強度分布を示すグラフである。
【図８】（ａ）は、青色光（ＬＥＤ）の場合、蛍光層（ＯＲ５７６）単独の場合、蛍光層と蛍光反射層のみの場合、及び検討例９〜１２（蛍光層＋各種透過調整層＋蛍光反射層）の場合における、青色光やその透過光の色について、ｘｙ色度座標にプロットしたグラフであり、（ｂ）は、（ａ）の拡大図である。
【図９】青色光（ＬＥＤ）の場合、蛍光層（ＯＲ５７６）単独の場合、蛍光層とホワイト層のみの場合、及び検討例１３〜１６（蛍光層＋各種透過調整層＋ホワイト層）の場合における、青色光やその透過光の分光強度分布を示すグラフである。
【図１０】（ａ）は、青色光（ＬＥＤ）の場合、蛍光層（ＯＲ５７６）単独の場合、蛍光層とホワイト層のみの場合、及び検討例１３〜１６（蛍光層＋各種透過調整層＋ホワイト層）の場合における、青色光やその透過光の色について、ｘｙ色度座標にプロットしたグラフであり、（ｂ）は、（ａ）の拡大図である。
【発明を実施するための形態】
【０００９】
以下、本発明に係る実施の形態の例につき、適宜図面を用いて説明する。なお、本発明の形態は、以下のものに限定されない。
【００１０】
図１は本発明に係る光学表示装置１の前面図であり、図２は光学表示装置１の一部水平断面概念図（図の上が前方）である。
光学表示装置１は、全体が平板状であり、機枠２と、機枠２の前面に配された透光性を有する前カバー３と、前カバー３の内部に設置された表示体４を備えている。
【００１１】
表示体４は、積層構造の光学積層体１０と、光学積層体１０に沿った、導光板１２及び発光手段１４を有している。光学積層体１０は、機枠２後面のほぼ全体に沿っており、又光学表示装置１の前部の大部分に亘っていて、光学積層体１０の前面が表示面となっている。導光板１２は、光学積層体１０の後側に配置されている。発光手段１４は、導光板１２の後側に配置されており、機枠２の後面内側に沿っている。尚、光学積層体１０と導光板１２において、間を開けず、互いに接触するようにして良い。導光板１２と発光手段１４においても、同様である。
光学表示装置１は、図１では機枠２や前カバー３で覆われて成る独立した表示装置として示しているが、携帯端末を始めとする機器の入力部（ボタン等）や表示部等に配置され（ボタンや機器等に組み込まれ）ても良い。入力部に組み込まれた場合には、入力指令状態に応じて、表示の態様（意匠の種類）を切替えることができる。
【００１２】
発光手段１４は、青色光ＢＬと赤色光ＲＬで切り替えて発光可能である。図２では、青色光ＢＬは実線で示され、赤色光ＲＬは一点鎖線で示される。
発光手段１４は、ここでは（複数の）青色ＬＥＤと（複数の）赤色ＬＥＤを搭載したプリント基板である。プリント基板は、前方への反射を強くするため、前面の一部又は全部が白色となっている。尚、発光手段において、青色光ＢＬと赤色光ＲＬで切替発光可能なＬＥＤを用いても良いし、ＬＥＤ以外の蛍光管等の発光手段を用いても良いし、プリント基板以外に搭載されても良いし、基板に搭載されず単体で用いても良い。又、青や赤以外の色を用いて良いし、３色以上を用いて良いし、色の組合せを様々に変えて良い。
導光板１２は、発光手段１４からの光を、自身の前面全体ないしその前方へ導く部材である。発光手段１４からの光は、導光板１２全体に均一に拡散される。
導光板１２と発光手段１４により、光学積層体１０等に対する背面側からの照明が可能となり、これらにより照明手段が構成される。尚、光ファイバーやミラー等を組み合わせたり、あるいは、発光手段１４を光学積層体１０の側方に配置して、導光板１２の肉厚部に光が入射するようにし、その入射した光が導光板１２により前方全体に導かれるようにしたり、導光板１２を省略して光学積層体１０を直接照射したりする等、照明手段の構成を適宜変更することができる。
【００１３】
光学積層体１０は、後側（発光手段１４に近い側）から順に、第１パターン層Ｐ１と、第２パターン層Ｐ２と、透過調整層Ｖと、蛍光反射層Ｍと、蛍光層Ｌと、ブラックアウト層Ｓを含む。これらの形成（蛍光反射層Ｍ及びブラックアウト層Ｓを除く）は、ここでは図示しない透明シートに対する印刷により、更に詳しくはシルク印刷により行われる。尚、第１パターン層Ｐ１と第２パターン層Ｐ２の前後を入れ替える等、層の配置を適宜変更することができる。又、各層の肉厚を適宜変更することができる。更に、発光色数に応じ、パターン層の数を増やして良い。又、蛍光反射層Ｍやブラックアウト層Ｓ等を適宜省略することができる。
【００１４】
第１パターン層Ｐ１は、第１特定色としての青色を呈する青色光ＢＬを透過せず、第２特定色としての赤色を呈する赤色光ＲＬを透過する層である。
第１パターン層Ｐ１は、赤色を呈する透光性のある材料、即ち赤色光ＲＬ（赤色に対応する波長を有する光）を透過し他の色（他の波長を有する光）は透過しない光選択透過材（バンドストップフィルタ）により形成される。換言すれば、第１パターン層Ｐ１は、青色光ＢＬを透過せず赤色光ＲＬを透過する光選択透過材（赤色光選択透過材）により形成される。尚、光を透過しないことや光を遮ることには、完全に光を遮ることに加え、僅かに（他の色の光と比較して透過率の低い状態で）光を通すことも含めて良い。
赤色光選択透過材による第１パターン層Ｐ１の形成は、青色光ＢＬを等を吸収し、赤色光ＲＬを吸収しないインクによる着色によって行うことができる。尚、青色光ＢＬを反射し、赤色光ＲＬを反射せず透過する光選択反射材を、光選択透過材として用いて、第１パターン層Ｐ１を形成することができる。当該光選択反射材は、例えば光学多層膜として形成することができ、その光学多層膜の形成は、例えば真空蒸着法により行うことができる。
尚、第１パターン層Ｐ１（赤色光選択透過材）における、波長に対する透過率の分布は、赤色に対応する特定の波長において極大値をとりその両側で急峻に下降するものとしたり、あるいは同様な極大値の片側あるいは両側で緩やかに下降するものとしたり、赤色の領域内の特定範囲において極大値と同様の値を維持し、その両側で下降するものとしたり、青色に対応する波長以外の波長の光を全て透過するものとしたりする等、様々に変更可能である。
【００１５】
第２パターン層Ｐ２は、赤色光ＲＬを透過せず青色光ＢＬを透過する層である。
第２パターン層Ｐ２は、青色を呈する透光性のある材料、即ち青色光ＢＬを透過し他の色は透過しない光選択透過材により形成される。換言すれば、第２パターン層Ｐ２は、赤色光ＲＬを透過せず青色光ＢＬを透過する光選択透過材（青色光選択透過材）により形成される。
青色光選択透過材による第２パターン層Ｐ２の形成手法や変更例は、第１パターン層Ｐ１の場合と同様である。
【００１６】
第１パターン層Ｐ１や第２パターン層Ｐ２のパターンは、切替表示における各種意匠に応じて形成される。
図１に示すように、切替表示可能な意匠が２種類であって、第１の意匠が黒地に赤色発光する縦細帯で、第２の意匠が黒地に白色発光する横太帯である場合、第１の意匠の発光部分と第２の意匠の発光部分が重なる赤白重複部分Ｎには、第１パターン層Ｐ１は配置されず、第２パターン層Ｐ２も配置されない。尚、第１パターン層Ｐ１や第２パターン層Ｐ２が配置されなければ、青色光ＢＬ及び赤色光ＲＬ（並びに他の色の光）の何れも、その前側（発光手段１４から見ると遠方側）の層まではそのまま通過することができる。
又、第１の意匠の赤色発光部分と第２の意匠の黒色部分が重なる赤黒重複部分Ｒには、第１パターン層Ｐ１が配置され、第２パターン層Ｐ２は配置されない。更に、第１の意匠の黒色部分と第２の意匠の白色発光部分が重なる白黒重複部分Ｗには、第１パターン層Ｐ１は配置されず、第２パターン層Ｐ２が配置される。加えて、第１の意匠の地の部分と第２の意匠の地の部分が重なる黒色重複部分Ｋには、第１パターン層Ｐ１及び第２パターン層Ｐ２の双方が配置される。
従って、第１パターン層Ｐ１は、第２の意匠において白色でない部分（白色発光部分以外の部分）に配置され、第２パターン層Ｐ２は、第１の意匠において赤色でない部分（赤色発光部分以外の部分）に配置される。
尚、表示内容や意匠の形状等に応じ、これらの部分の何れかを省略しても良い。
又、黒色重複部分Ｋに対応するパターンにおいて、可視領域全体を透過しない不透過層を更に設けても良い。不透過層は、好適には、透過調整層Ｖより前側に配置され、蛍光層Ｌ（蛍光反射層Ｍ）より後側に配置される。又、不透過層は、好適には、黒色インクにより、又印刷により形成される。不透過膜を設けた場合、黒色重複部分Ｋに対応するパターンにおいて第２パターン層Ｐ２と第１パターン層Ｐ１の少なくとも一方を配置しないようにすることができる。不透過層を配置することにより、黒色部分の黒さを濃くすることができ、コントラストが一層良好となる。
あるいは、不透過層として、第１パターン層Ｐ１や第２パターン層Ｐ２より光源側に配置されたものを用いても良い。この場合、好適には、不透過層を白色にする。不透過層を白色にすると、不透過層の外側に光を透過させず一旦内側に光を反射させることができ、その反射された光を再帰反射により表示光として再利用することが可能となって、表示をより明るくし、不透過により意匠に係る黒色部分の黒さを濃くすることと相まってコントラストをより一層良好にすることができる。
【００１７】
透過調整層Ｖは、青色光ＢＬ及び赤色光ＲＬを透過するが他の色の光を抑制する層、あるいは緑色光を抑制し他の色の光を透過する層である。
透過調整層Ｖは、紫色を呈する透光性のある材料、即ち青色光ＢＬ及び赤色光ＲＬに対する透過率が高く他の色に対する透過率が低い光選択透過材により形成される。換言すれば、透過調整層Ｖは、青色光ＢＬ及び赤色光ＲＬの透過率より他の色の光の透過率が低減され、他の色の光の透過が抑制されている光選択透過材（赤青色光選択透過材）により形成される。尚、ここでの紫色は、青色の光の波長より短い波長のみを有する光の呈する色ではなく、青色の光と赤色の光の加色光の呈する色である。
赤青色光選択透過材による透過調整層Ｖの形成手法や変更例は、第１パターン層Ｐ１の場合と同様である。
透過調整層Ｖは、光学積層体１０の表示面全体に亘り配置されている。
尚、透過調整層Ｖを、黒色重複部分Ｋ以外の部分のみや、赤白重複部分Ｎのみに配置しても良い。
又、透過調整層Ｖとして、蛍光発光可能な紫色の層（蛍光透過調整層）を採用することができる。
蛍光透過調整層は、青色光ＢＬの一部を吸収して赤色の蛍光を発する赤青色光選択透過材により、蛍光を発しない透過調整層Ｖと同様に形成することができる。蛍光透過調整層単独では、自然光のもとでは、紫色に赤色の蛍光が加色されて、赤紫色に見える。
【００１８】
蛍光層Ｌは、蛍光体を有する層であり、例えばＹＡＧシートにより形成される。
蛍光体は、青色光ＢＬにより励起されると、蛍光として黄色光ＹＬを出力する。又、蛍光体を励起しなかった青色光ＢＬは、蛍光層Ｌをそのまま通過する。
即ち、蛍光層Ｌは、青色光ＢＬを受けると、その一部をそのまま出力し、別の一部を黄色光ＹＬに変換して出力する。
青色光ＢＬの出力は、入射した青色光ＢＬと同様に前方へなされ、黄色光ＹＬの出力は、四方八方に広がってなされる。
蛍光層Ｌに入射した青色光ＢＬは、青色光ＢＬと黄色光ＹＬが混色した光、即ち白色光ＷＬとなって前方へ出る。
蛍光層Ｌは、第２の意匠の白色発光部分（赤白重複部分Ｎ及び白黒重複部分Ｗ）に応じて配置されているが、全体に配置されても良い。蛍光層Ｌは赤色光ＲＬに対して蛍光発光せず、赤色光ＲＬを透過するので、赤色発光表示に対する影響はない。
尚、蛍光層Ｌないし蛍光体は、青色光ＢＬにより緑色光等を蛍光発光するものとして良く、即ち黄色以外の色の蛍光を発光するものとして良い。又、蛍光層Ｌないし蛍光体は、青色光ＢＬ以外の色の光で蛍光発光するものとして良い。更に、蛍光層Ｌないし蛍光体は、蛍光以外を（殆ど）出力しないものとしても良い。
又、蛍光層Ｌの前側に、再加色層を加えても良い。再加色層は、任意の色を有する透光性のある層であり、白色光ＷＬを当該色に変える層である。可視領域全体に亘る波長の成分を満遍なく有する白色光ＷＬの入力を受けるため、白色光ＷＬをどのような色にでも変えて出力することができる。再加色層は、蛍光層Ｌと同様に白色発光部分に応じて配置されるが、赤色光ＲＬに対する影響を考慮しつつ、表示面全体に配置しても良い。再加色層の肉厚は、何れかの層と同等であっても良いし、何れの層より厚くても良いし、何れの層より薄くても良いし、どの層とも違う厚さであっても良い。
【００１９】
蛍光層Ｌの後側に配置される蛍光反射層Ｍは、蛍光である黄色光ＹＬを前方へ反射し、青色光ＢＬや赤色光ＲＬを透過する層であり、例えば青色及び赤色の波長の光を透過し、それ以外の可視領域の波長の光を反射する光学多層膜（ハーフミラー）により形成される（好適には蒸着により形成される）。
即ち、蛍光反射層Ｍは、後方から入射した青色光ＢＬや赤色光ＲＬを透過し、前方から来た後向きの黄色光ＹＬを前方へ戻す。
蛍光反射層Ｍは、蛍光層Ｌに応じて配置されているが、蛍光層Ｌと異なるように配置されても良く、例えば蛍光層Ｌが白色発光部分に配置される一方で蛍光反射層Ｍが全体に配置されても良い。
蛍光反射層Ｍの肉厚は、何れかの層と同等であっても良いし、何れの層より厚くても良いし、何れの層より薄くても良いし、どの層とも違う厚さであっても良い。
【００２０】
蛍光層Ｌの前側に配置されるブラックアウト層Ｓは、抑制された透光性を有する層であって、好適には（灰色を呈する）スモークレンズにより形成される。
ブラックアウト層Ｓは、外部（光学積層体１０前方）からの外光について、内部へ進入する度合を低減し、更に内部からの光の強度も低減して、発光手段１４の消灯時（非表示時）に各種層のパターンが見えてしまう事態を防止する。又、ブラックアウト層Ｓは、各種意匠の表示時における黒色部分をより黒くして、コントラストをより良好にする。
但し、ブラックアウト層Ｓにおける透光性の抑制は、白色光ＷＬや赤色光ＲＬの輝度（各種意匠の発光表示の輝度）に支障がない程度にする。又、ブラックアウト層Ｓは、黒地に合うように、可視領域全般に亘り同様に強度を抑制する（同様に抑制された透過率を有する）ものとする。
【００２１】
尚、光学表示装置１は、図示しない制御装置やスイッチを内部にあるいは外付けで備えている。制御装置は、単数又は複数のスイッチや発光手段１４と電気的に接続されている。制御装置は、スイッチの状態に応じ（スイッチの指令に基づき）、発光手段１４に係る発光の有無や発光色（赤又は青）の切り替えを行う。発光手段１４や照明手段について、制御装置やスイッチを含めて構成することもできるし、輝度を調節可能なスイッチを追加することもできる。
【００２２】
このような光学表示装置１は、主に次のように動作する。
スイッチにより発光手段１４の消灯が指令されると、制御装置は発光手段１４を消灯し、光学積層体１０における表示を黒一色とする（非表示状態）。
非表示状態において、ブラックアウト層Ｓのみでは、光学積層体１０の何れかの層（特に第２パターン層Ｐ２や第１パターン層Ｐ１）のパターンが、外光の進入や反射により見えてしまうことがある。
しかし、光学積層体１０では、透過調整層Ｖが設けられており、外光が進入したとしても、透過調整層Ｖにおいて青色光ＢＬの波長や赤色光ＲＬの波長を含まない波長領域（眼が良く感知する緑色の波長領域）の透過を充分に抑制することができ、進入後反射した外光についても透過を充分に抑制することができる。
従って、光学積層体１０では、外光によりパターンが見えてしまう事態を防止することができ、非表示時の隠蔽性が充分なものとなる。
【００２３】
一方、スイッチにより発光手段１４の赤色点灯が指令されると（あるいは表示部における赤色発光が指令されると、又は第１の意匠の表示が指令されると）、制御装置は発光手段１４を赤く点灯し、導光板１２は発光手段１４からの赤色光ＲＬを前面全体に導いて光学積層体１０に届ける。
赤色光ＲＬは、黒色重複部分Ｋと白黒重複部分Ｗに配置された第２パターン層Ｐ２を通過しない。一方、赤色光ＲＬは、赤黒重複部分Ｒに配置された第１パターン層Ｐ１を通過し、透過調整層Ｖに至る。又、赤色光ＲＬは、赤白重複部分Ｎにあっては、そのまま透過調整層Ｖに至る。
透過調整層Ｖにおいて、赤色光ＲＬは、緑色光と異なり充分に透過され、蛍光反射層Ｍに至る。尚、蛍光透過調整層の場合でも、赤色光ＲＬは充分に透過される。
蛍光反射層Ｍにおいて、赤色光ＲＬは、黄色光ＹＬと異なり充分に透過され（あるいは蛍光層Ｌにおける黄色光ＹＬの反射性能の付与により若干抑制され）、蛍光層Ｌに至る。
蛍光層Ｌにおいて、赤色光ＲＬは、そのまま透過し、ブラックアウト層Ｓに至る。
ブラックアウト層Ｓでは、赤色光ＲＬは、輝度を考慮して抑制された透過率において透過して外に出る。
赤色光ＲＬは、赤黒重複部分Ｒと赤白重複部分Ｎにおいて出力され、第１の意匠の表示に寄与する。
【００２４】
他方、スイッチにより発光手段１４の青色点灯が指令されると、制御装置は発光手段１４を青く点灯し、導光板１２は発光手段１４からの青色光ＢＬを前面全体に導いて光学積層体１０に届ける。
青色光ＢＬは、黒色重複部分Ｋと赤黒重複部分Ｒに配置された第１パターン層Ｐ１を通過しない。一方、青色光ＢＬは、白黒重複部分Ｗに配置された第２パターン層Ｐ２を通過し、透過調整層Ｖに至る。又、青色光ＢＬは、赤白重複部分Ｎにあっては、そのまま透過調整層Ｖに至る。
透過調整層Ｖにおいて、青色光ＢＬは、緑色光と異なり充分に透過され、蛍光反射層Ｍに至る。尚、蛍光透過調整層の場合、青色光ＢＬの一部はそのまま透過し、他の一部は赤色の蛍光に変換され出力される。
蛍光反射層Ｍにおいて、青色光ＢＬは、黄色光ＹＬと異なり充分に透過し、蛍光層Ｌに至る。尚、赤色の蛍光も充分に透過し、蛍光層Ｌに至る。
蛍光層Ｌにおいて、青色光ＢＬの一部は、そのまま透過し、ブラックアウト層Ｓに至る。又、青色光ＢＬの別の一部は、黄色光ＹＬに変換される。黄色光ＹＬは様々な方向に向かうところ、後方に向かった黄色光ＹＬは、蛍光反射層Ｍにおいて充分に反射され、前方に向かった黄色光ＹＬと共に、ブラックアウト層Ｓに至る。尚、蛍光層Ｌにおいて、赤色の蛍光は、そのまま（あるいは蛍光層Ｌにおける黄色光ＹＬの反射性能の付与により若干抑制されて）透過する。
ブラックアウト層Ｓでは、青色光ＢＬと黄色光ＹＬは、輝度を考慮して抑制された透過率においてそれぞれ透過して、白色光ＷＬとして外に出る。尚、赤色の蛍光も抑制された透過率で透過する。赤色の蛍光は、青色光ＢＬと黄色光ＹＬに対し更に加色され、白色光ＷＬの発光に寄与する。
白色光ＷＬは、白黒重複部分Ｗと赤白重複部分Ｎにおいて出力され、第２の意匠の表示に寄与する。
【００２５】
以上のような本発明の光学表示装置１では、青色光ＢＬを透過せず赤色光ＲＬを透過する第１パターン層Ｐ１と、赤色光ＲＬを透過せず青色光ＢＬを透過する第２パターン層Ｐ２と、青色光ＢＬ又は赤色光ＲＬで切り替えて発光可能な発光手段１４と、第２パターン層Ｐ２により遮られなかった青色光ＢＬにより蛍光としての黄色光ＹＬを発する蛍光層Ｌと、蛍光層Ｌより発光手段１４に近い側において、青色光ＢＬ及び赤色光ＲＬを透過して、黄色光ＹＬを反射する蛍光反射層Ｍと、を備えている。よって、拡散する黄色光ＹＬを前方に集めることができ、黄色光ＹＬの加色される白色光ＷＬの輝度がより大きくなり、更に効率の良い白色発光表示が可能となる。又、黄色光ＹＬの強度が増すため、青色光ＢＬに対する黄色光ＹＬの強度の割合が増す分、より青みの少ない白色光ＷＬが得られる。
又、青色光ＢＬ及び赤色光ＲＬを透過して、緑色光の透過を抑制する透過調整層Ｖを備えている。よって、外光につき緑色光を中心に抑制して隠蔽性を確保しながら、赤色光ＲＬをなるべく抑制せずに出力することができ、青色光ＢＬもなるべく抑制せずに黄色光ＹＬの発生ないし白色光ＷＬの出力に効率良く用いることができる。
更に、透過調整層Ｖは、蛍光層Ｌより発光手段１４に近い側に配置される。よって、白色光ＷＬの発光を妨げずに、非表示時の隠蔽性を確保し、白色光ＷＬや赤色光ＲＬの発光を調整して効率を良好にすることができる。
又更に、蛍光透過調整層の場合、透過調整層Ｖは第１パターン層Ｐ１により遮られなかった青色光ＢＬにより赤色の蛍光（第２の蛍光）を発する。よって、赤色の蛍光も白色光ＷＬの発光に用いることができ、更に効率良く白色光ＷＬの輝度を大きくすることができ、又一層青みの少ない白色光ＷＬを得ることが可能となる。
【００２６】
尚、以上の光学表示装置１に対し、更に発光手段１４の緑色発光を可能とし、第１パターン層Ｐ１につき青色の光を透過せず赤色及び緑色の光を透過する光選択透過材（青色以外透過の光選択透過材）により形成し、第２パターン層Ｐ２につき赤色の光を透過せず青色及び緑色の光を透過する光選択透過材（赤色以外透過の光選択透過材）により形成し、更に緑色の光を透過せず青色及び赤色の光を透過する光選択透過材（緑色以外透過の光選択透過材）により形成される第３パターン層を設けたものとすると、次の通りになる。
即ち、更に、第３特定色の光を透過せず他の特定色の光を透過する第３パターン層を備えており、発光手段１４は、赤色、青色又は緑色の何れかに切り替えて発光可能である。
この場合において、蛍光反射層Ｍを、赤色、青色又は緑色の光を透過して、蛍光を反射するものとすると、蛍光発光表示される意匠を含む３種の意匠の切替表示が可能でありながら、特に蛍光発光表示について、輝度を充分とし、青色に寄り過ぎないものとすることができる。
又、透過調整層Ｖを、赤色、青色又は緑色の光を透過して他の色の光の透過を抑制するものとすると、蛍光発光表示される意匠を含む３種の意匠の切替表示が可能でありながら、他の色の光の透過を抑制した分だけ隠蔽性を向上することができ、更に蛍光発光に用いられる青色光ＢＬの透過率を他の色の光の透過率に比べて優位に調整する等、各色の発光状況を調整することが可能となる。
尚、第１パターン層Ｐ１は、白色発光部分以外の部分に配置され、第２パターン層Ｐ２は、赤色発光部分以外の部分に配置され、第３パターン層は、緑色発光部分以外の部分に配置される。
【００２７】
そして、同様にして更に第１ないし第３特定色の何れとも（波長や波長域の）異なる第ｊ特定色（ｊ＝［４］，［４，５］，［４，５，６］・・、［］はここでは集合を示す）を発光可能とし、且つ蛍光反射層Ｍを、何れの色の光を透過して、蛍光を反射するものとすることで、蛍光発光表示について、充分な輝度を確保することができ、又第１特定色に寄り過ぎないようにすることができる。
又、第ｊ特定色の光を透過せず他の色の光を透過する第ｊパターン層や、何れの色とも異なる色の光の透過を抑制した透過調整層Ｖを設けて、蛍光発光表示を１種類以上含む４種類以上の意匠の表示を、非表示時の隠蔽性の高い状態で、効率良く行うことができる。
【実施例】
【００２８】
次いで、上記形態において、透過調整層Ｖの特性、あるいは蛍光反射層Ｍの有無や特性を互いに異ならせた、各種の検討例を説明する。
【００２９】
［検討例１〜１２の構成等］
図３は、検討例１〜１２の何れかで用いられる、４種の透過調整層Ｖの分光透過率分布を示すグラフである。
「調整層ａ」及び「調整層ｂ」は、青色透過率＞赤色透過率の青紫色を呈する透過調整層Ｖであり、前者の方が後者よりも青色透過率が大きく且つ赤色透過率が小さい。
「調整層ｃ」は、青色透過率と赤色透過率が同様である紫色を呈する透過調整層Ｖである。
「調整層ｄ」は、青色透過率＜赤色透過率の赤紫色を呈する透過調整層Ｖである。
【００３０】
検討例１は、透過調整層Ｖとして青紫色の「調整層ａ」を具備し、蛍光反射層Ｍを省略した光学表示装置１である。検討例１〜１２では、蛍光層ＬとしてＯＲ５７６を採用する。
検討例２は、透過調整層Ｖとして青紫色の「調整層ｂ」を具備し、蛍光反射層Ｍを省略した光学表示装置１である。
検討例３は、透過調整層Ｖとして紫色の「調整層ｃ」を具備し、蛍光反射層Ｍを省略した光学表示装置１である。
検討例４は、透過調整層Ｖとして赤紫色の「調整層ｄ」を具備し、蛍光反射層Ｍを省略した光学表示装置１である。
尚、検討例１〜４は、蛍光反射層Ｍを備えないので、蛍光反射層Ｍを有する発明の実施例とならない。
【００３１】
検討例５は、透過調整層Ｖとして青紫色の「調整層ａ」を具備し、蛍光反射層Ｍを具備した光学表示装置１である。検討例５〜８では、蛍光反射層Ｍとして図４に示す透過率ｔｒ（反射率ｒｅ）を示すものを採用する。
検討例６は、透過調整層Ｖとして青紫色の「調整層ｂ」を具備し、蛍光反射層Ｍを具備した光学表示装置１である。
検討例７は、透過調整層Ｖとして紫色の「調整層ｃ」を具備し、蛍光反射層Ｍを具備した光学表示装置１である。
検討例８は、透過調整層Ｖとして赤紫色の「調整層ｄ」を具備し、蛍光反射層Ｍを具備した光学表示装置１である。
尚、検討例５〜８は、蛍光反射層Ｍを備えるので、蛍光反射層Ｍを有する発明の実施例となる。
【００３２】
検討例９は、透過調整層Ｖとして青紫色の「調整層ａ」を具備し、検討例５〜８の蛍光反射層Ｍの代わりに白色のホワイト層を配置した光学表示装置１である。検討例９〜１２におけるホワイト層は、図４に示す透過率ｔｒ（反射率ｒｅ）を示すものである。ホワイト層は、可視領域の全体（例えば４００〜７００ｎｍ）あるいは主要な部分（例えば４５０〜７００ｎｍあるいは４５０〜６５０ｎｍ）において、同程度の反射率を有し、可視領域における分光透過率分布が平坦になるものである。ホワイト層は、好適には白色材料を含み、更に好適には白色顔料を含み、白色材料（白色顔料）を（透明な）シート状の基材に混入させるか、白色材料（白色顔料）を印刷あるいは塗布して（層状に付着させて）形成される。
検討例１０は、透過調整層Ｖとして青紫色の「調整層ｂ」を具備し、ホワイト層を具備した光学表示装置１である。
検討例１１は、透過調整層Ｖとして紫色の「調整層ｃ」を具備し、ホワイト層を具備した光学表示装置１である。
検討例１２は、透過調整層Ｖとして赤紫色の「調整層ｄ」を具備し、ホワイト層を具備した光学表示装置１である。
尚、検討例９〜１２も、約５０％程蛍光を反射するホワイト層を蛍光反射層Ｍとみることができるので、蛍光反射層Ｍを有する発明の実施例とすることができる。
【００３３】
［検討例１〜１２の作用等］
図５は、青色光（ＬＥＤ）の場合、蛍光層（ＯＲ５７６）単独の場合、及び検討例１〜４（蛍光層＋各種透過調整層）の場合における、青色光ＢＬやその透過光の分光強度分布を示すグラフである。尚、当該グラフの縦軸は、同一条件下で作動させた所定の光度測定装置におけるカウント数であり、カウント数が大きいほど強度が大きいこととなる。又、当該グラフの横軸は波長（ナノメートル，ｎｍ）である。
又、表１は、「調整層ａ」〜「調整層ｄ」の何れかをＤ６５光源からの光が通過した場合の視感度透過率を示す表である。
更に、表２〜表４は、青色光ＢＬ（青色ＬＥＤによる）自体の発光色あるいはＯＲ５７６単独・更に蛍光反射層Ｍやホワイト層を加えたもの・検討例１〜１２を青色光ＢＬが通過した場合の色座標（ｘ，ｙ，Ｙ）の値を示す表である。
又更に、図６（ａ）は、青色光ＢＬの場合、蛍光層（ＯＲ５７６）単独の場合、及び検討例１〜４（蛍光層＋各種透過調整層）の場合における、青色光やその透過光の色について、表２におけるｘ，ｙの値を用いてｘｙ色度座標にプロットしたグラフである。又、図６（ｂ）は、図６（ａ）の拡大図である。図６において、横軸はｘであり、縦軸はｙである。
加えて、検討例５〜８（蛍光層＋各種透過調整層＋蛍光反射層）の場合における図５・表２・図６に相当するものを図７・表３・図８として示し、検討例９〜１２（蛍光層＋各種透過調整層＋ホワイト層）の場合における図５・表２・図６に相当するものを図９・表４・図１０として示す。
【００３４】
【表１】
2015011202.tif 000003
【表２】
2015011202.tif 000004
【表３】
2015011202.tif 000005
【表４】
2015011202.tif 000006
【００３５】
検討例１〜４では、青色透過率＞赤色透過率である検討例１，２の方が、検討例４や検討例３に比べ、蛍光発光に関し、強度がより高く効率により優れ（表２・Ｙ値）、隠蔽性もより良好になる（表１の視感度透過率）。色については、青色透過率≦赤色透過率である検討例３，４の方が、蛍光層単独の場合により近くなる（図６・ｘｙ座標値）。
一方、検討例５〜８では、同様に、青色透過率＞赤色透過率である検討例５，６の方が、蛍光発光に関し、強度がより高く、効率により優れ（表３・Ｙ値）、隠蔽性もより良好となる（表１の視感度透過率）。又、色については、青色透過率≦赤色透過率である検討例７，８の方が、蛍光層単独の場合により近くなる（図８・ｘｙ座標値）。
又、検討例５〜８では、検討例１〜４と比べ、蛍光発光に関し、強度が更に高くなっており（図５に対する図７や、表２のＹ値に対する表３のＹ値）、蛍光反射層Ｍの具備により、蛍光発光の輝度が充分に確保できて効率の良い蛍光発光が実現できることが示されている。加えて、検討例５〜８では、検討例１〜４と比べ、蛍光発光色が蛍光層単独の場合の蛍光発光色により近づいており（図６に対する図８）、蛍光反射層Ｍの具備により、透過調整層Ｖを備えたとしても透過調整層Ｖを備えない場合の色に近くなるように色みを調節することができることが示されており、透過調整層Ｖの有無による蛍光発光色の色変化が少ないことが示されている。
他方、検討例９〜１２では、まずやはり青色透過率＞赤色透過率である検討例９，１０の方が、蛍光発光に関し、強度がより高く、効率により優れ（表４・Ｙ値）、隠蔽性も高くなる（表１の視感度透過率）。色については、青色透過率≦赤色透過率である検討例１１，１２の方が、蛍光層単独の場合により近くなる（図１０・ｘｙ座標値）。
次いで、検討例９〜１２でも、検討例１〜４と比べ、蛍光発光色が蛍光層単独の場合の蛍光発光色により近づいている（図６に対する図１０）。
尚、検討例９〜１２では、検討例５〜８と比較して、蛍光発光の強度でやや劣り、発光色でやや有利である（蛍光層単独の場合の色により近づいている）。このようになる主な要因は、検討例５〜８の蛍光反射層Ｍが、検討例９〜１２のホワイト層と比較して、青色光ＢＬをより透過し、蛍光（黄色光ＹＬ）をより反射することにあると考えられる。
又、一般に、蛍光層は蛍光材料を用いて（シート状の基材に混入して）形成され、蛍光材料によっては、（僅かに）ムラを発生したり、複数種類の蛍光材料の混合により星屑状に（複数の微小部分で明るく）光ったりするところ、検討例５〜８の蛍光反射層Ｍに比べ、検討例９〜１２のホワイト層の方が、ムラや星屑状の発光をより平滑にならして目立たなくすることができる。
【００３６】
［検討例１〜１２に関する考察］
蛍光反射層Ｍの設置（検討例５〜１２）により、蛍光発光に関し、色みを調節し、充分な強度を確保することができる。又、非表示時の隠蔽性の確保や各種発光（各種意匠の状態）の調整を目的として透過調整層Ｖを設置した場合に、発光の強度や色みがやや低減することがあるが、蛍光反射層Ｍの設置により、発光強度や色みを回復することができる。
又、透過調整層Ｖにおいて、青色透過率＜赤色透過率とした場合に比べ、青色透過率＞赤色透過率とした場合の方が、非表示時の隠蔽性をより良くし、輝度をより高く維持することができる。
尚、青色透過率＞赤色透過率とした場合は、赤色光ＲＬにつき青色光ＢＬに対して透過をより抑制するように調整した場合ともいえるし、青色光ＢＬにつき赤色光ＲＬに対して透過をより促進するように調整した場合ともいえる。
更に、透過調整層Ｖにおける透過率の設定により、非表示時の隠蔽性や発光の輝度を調節することができ、ニーズに合致した表示装置を提供することが可能となる。
【符号の説明】
【００３７】
１・・光学表示装置、１４・・発光手段、ＢＬ・・青色光（第１特定色の光）、Ｌ・・蛍光層、Ｍ・・蛍光反射層、Ｐ１・・第１パターン層、Ｐ２・・第２パターン層、ＲＬ・・赤色光（第２特定色の光）、Ｖ・・透過調整層、ＹＬ・・黄色光（第１の蛍光）。
【図１】
2015011202.tif 000007
【図２】
2015011202.tif 000008
【図３】
2015011202.tif 000009
【図４】
2015011202.tif 000010
【図５】
2015011202.tif 000011
【図６】
2015011202.tif 000012
【図７】
2015011202.tif 000013
【図８】
2015011202.tif 000014
【図９】
2015011202.tif 000015
【図１０】
2015011202.tif 000016